(57)【要約】【課題】  この発明は、簡易な構造によってランプシェードの着脱及び折り畳みが容易で、かつ、ランプシェードにたるみを生じることなく、インテリアとしての外観性に優れた照明器具を得ることを課題とするものである。【解決手段】  この発明は、発光体２の台座１の周縁に３本以上の支持部材の基端が取り付けられ、この支持部材の先端にそれぞれ支柱５が取り付けられ、これら支柱５は支柱５に当接する環状のシート６で囲まれ、この環状シート６は前記支持部材によって外側に付勢された照明器具として構成する。【選択図】  図１
2008258000.tif 000002
【特許請求の範囲】
【請求項１】
発光体の台座の周縁に３本以上の支持部材の基端が取り付けられ、この支持部材の先端にそれぞれ支柱が取り付けられ、これら支柱は支柱に当接する環状のシートで囲まれ、この環状シートは前記支持部材によって外側に付勢された照明器具。
【請求項２】
支持部材は、発光体の台座に着脱可能に取り付けられた請求項１記載の照明器具。
【請求項３】
台座は、支持部材によって支柱の下端よりも上方に支持された、請求項１又は２に記載の照明器具。
【発明の詳細な説明】
【技術分野】
【０００１】
この発明は、折り畳み可能で、かつたるみのない状態で取り付け可能なランプシェードを備えた照明器具に関するものである。
【背景技術】
【０００２】
照明器具は、光源が発する光を効果的に反射あるいは透過させて適当な明るさを得るために、また、インテリアとしての装飾性を得るために、一般にランプシェードを備えているが、このランプシェードは、光源を覆うあるいは囲むように構成されることから必然的に嵩張るものとならざるを得ない。
従来のランプシェードを備えた照明器具は、ランプシェードと本体（光源部）とを分離することはできるものの、ランプシェードそのものは依然として嵩張るため、保管、運搬等に不便なものであった。
【０００３】
かかる問題点を解決するものとして、ランプシェードを折り畳み可能なものとした照明器具が提案されている。
例えば、実開昭５５−４２２５４号公報に記載された発明は、対向する２本の柱と、この柱の上下を連結する２本の横桟とからなる２つの方形枠体が各横桟中央部で回動可能に連結され、使用時には２つの枠体を拡げるように回動させて枠体に設けられた突起にシェードを係止させて照明器具を構成し、未使用時にはシェードを突起から外して２つの枠体を回動させてこれを重ねるようにして折り畳むことができる。
しかしながら、上記発明では、方形枠体が２つ重なった状態にまでしか折り畳むことができず、横方向（枠体の横桟方向）の嵩張りを解消することができない。
また、シェードの枠体への取付は、枠体に設けられた突起にシェードの係合孔を係合させてなるものであるからシェードに張力が働かず、シェードにたるみや皺が生じてしまい外観上好ましくないばかりか、シェードに設ける係合孔の位置決めが面倒であるし、組み立て時や折り畳み時などにこの係合孔を破損してしまうおそれもある。さらに、シェードから枠体の突起が突出しているのも外観上好ましくない。
【特許文献１】実開昭５５−４２２５４号公報
【０００４】
また、特開昭５４−６３８３号公報に記載された発明は、上下ろくろに開閉自在に取り付けられた上下支骨の先端を主骨に上下動自在に取り付け、各主骨上には布地を被着してランプシェードを構成し、使用時には下ろくろに取り付けられた下支骨が上ろくろを止着するパイプに対して俯角となるように上下ろくろをそれぞれ上下方向に動かして接合させることで各主骨を展開して布地を展張させ、未使用時にはこれとは逆に上下ろくろの接合を解くことで各主骨の展開を解除して折り畳むことができる。
しかしながら、上記発明では、それぞれ支骨が取り付けられた上下ろくろが必要となる上、各支柱の上下にそれぞれ支骨を連結しなければならず、構造が複雑で部品点数も多く、製造コストがかかる。
また、主骨の展開範囲は上下ろくろを接合させたときの上下支骨の展開範囲に規制されるので、シェードの外周を主骨の展開時の外周と同じサイズにしないとシェードにたるみが生じたり、あるいは上下ろくろの接合ができなくなるおそれがある。
さらに、ランプシェードはろくろに設けられた電球挟み金具あるいは電球支持枠で電球を挟持するようにして本体と固定されているにすぎないから、ランプシェードにぶつかった拍子などに本体からランプシェードがずれたり外れたりするおそれがある。
【特許文献２】特開昭５４−６３８３号公報
【発明の開示】
【発明が解決しようとする課題】
【０００５】
この発明は、簡易な構造によってランプシェードの着脱及び折り畳みが容易で、かつ、ランプシェードにたるみを生じることなく、インテリアとしての外観性に優れた照明器具を得ることを課題とするものである。
【課題を解決するための手段】
【０００６】
この発明の照明器具は、発光体の台座の周縁に３本以上の支持部材の基端を取り付け、この支持部材の先端にそれぞれ支柱を取り付け、これら支柱を支柱に当接する環状のシートで囲み、この環状シートは前記支持部材によって外側に付勢して構成する。
前記支持部材は、ステンレス、鉄等の金属製線材、あるいは合成樹脂製の線材を用いることが好ましいが、棒材、板材などを用いてもよい。支持部材は少なくとも３本備えることを必要とし、そのうち少なくとも１本は環状シートを外側へ付勢するバネとして機能するものを用いる。
前記環状シートは軟質のシート、例えば、和紙、洋紙、合成樹脂フィルム、布等を環状に構成してなるものであればよく、電球その他の発光体の光を透過させたい場合には透光性又は半透光性を有する素材を用いることが考えられ、環状シートの開放面からのみ光が発せられる間接照明として利用したい場合には遮光性の素材を用いることが考えられる。
前記支柱は、環状シートを保持すると同時に前記線材を介して発光体用台座を保持するためのものであり、その形状は柱状のものであればよく、四角柱の他、三角柱、円柱など種々の形状のものが考えられる。環状シートの支持部材の押圧力のバランスにしたがった自由な移動を行わせるためには、円柱が好ましい。
【０００７】
前記台座、支持部材、支柱は固着した構造でもよいが、請求項２の発明は、支持部材を発光体用台座に着脱可能に取り付けたことを特徴とするものである。台座への支持部材の固定は、台座に支持部材の挿入孔あるいは挿入溝などを設け、支持部材を挿脱可能なものとして着脱することが考えられる。台座の挿入孔あるいは挿入溝は、用いる支持部材の本数と同じ数だけ設ける必要があるが、それ以上設けるものとしてもよい。
【０００８】
請求項３の発明は台座を浮かせて支持したものである。
【発明の効果】
【０００９】
この発明によれば、支持部材によって支柱が環状シート側に付勢され、環状シートに張力がかかるので、環状シートは突っ張った状態で保持され、たるみが生じることがない。
外側に付勢された支柱を内側に移動させれば環状シートと支柱の間に余裕ができるのでの、ランプシェードを取り外し、これを折り畳むことができる。
すなわち、簡易な構造でランプシェードの着脱及び折り畳みが容易な照明器具を得ることができる。
そして、上記の通り、ランプシェード取付時には常に支持部材のバネの力によって環状シートには張力が働くので、ランプシェードにたるみや皺が発生することはなく、外観上優れた照明器具を得ることができる。
また、支持部材の弾性力を用いて環状シートを外側へ押し出して張力を付与するものとしたので環状シートの外周サイズを、弾性のある支持部材が伸びきった状態における各支柱間を結んだ外周よりも小さいサイズにしてあれば、それほど厳密に環状シートのサイズを決めていなくても、ランプシェードの取付が可能であり、取付時にランプシェードにたるみや皺が生じることもない。
【００１０】
ランプシェードとなる環状シートは完全に取り外すことができるので、環状シートを複数容易しておけば容易に交換することができ、大きさやデザインの異なる環状シートと用意しておけば、気分に応じて環状シートを交換して使用することができる。また破損したり古くなったりした環状シートと交換できる。
【００１１】
請求項２の発明によれば、電球用台座と支持部材とは着脱可能なものとしたので、運搬時、収納時などには台座から線材を取り外しておけば、よりコンパクトすることができる。
台座に挿入孔を複数設け、支持部材を自由に着脱可能なものとすれば、線材の電球用台座への固定位置を任意に変えることで照明器具の形状を変化させることができる。
【００１２】
請求項３の発明によれば、発光体用台座を宙に浮いた状態で保持できるので、台座を直接接地させる必要がなくなり、ランプシェードの下側に接地面との隙間を設けても台座が外部から視認されることがなく、美観に優れた照明器具を得ることができる。
【発明を実施するための最良の形態】
【００１３】
以下、この発明の実施例を説明する。
【実施例１】
【００１４】
図１ないし図３はこの発明の第１の実施例を示す図である。
台座１は円盤状に形成され、その上面には電球２が取り付けられた電球ソケット３が取り付けられ、側面には支持部材としての線材を挿入するための挿入孔１１が４つ台座１の中心方向に向かって設けられている。この挿入孔１２には支持部材としての線材４の水平部４１が挿脱可能に挿入され、台座１を上方から見て十字状に線材４が取り付けられている。
【００１５】
線材４はステンレス製であり、線材基端部から所定長の水平部４１が形成され、線材全長の略１／３付近で垂直方向に立ち上げられた屈曲部４２を経て、他端にかけて外向きの円弧部４３が形成された形状とし、屈曲部４２及び円弧部４３がバネとして機能するようにしてある（図４）。
線材の円弧部４３は、それぞれの線材が対応する支柱５の高さ１／２付近に形成された溝５１に嵌め込まれている。
【００１６】
支柱５は四角柱状をなし、その一側面の高さ１／２付近には線材４の円弧部４３を嵌め込むための溝５１が形成されている。溝５１は、線材４の円弧部４３の嵌め込み及び取り外しをスムーズに行えるように断面弧状をなしている（図３）。支柱５の形状は四角柱の他、円柱、三角柱、六角柱等、柱状のものであれば他の形状のものを利用してもよい。
【００１７】
４本の支柱５は環状シート６で取り囲まれ、支柱５の移動がこの環状シート６で規制されている。よって、線材４の屈曲部４２及び円弧部４３は台座１方向に曲げられた状態が維持されて、線材４には弾性エネルギーが蓄えられた状態となっている。この弾性エネルギーによって、各線材４には支柱方向及び台座方向にエネルギーを開放しようとする力が働き、この力によって各支柱５が常に外側に付勢されるとともに、これと反対方向に台座１が付勢される。
これにより、環状シート６に張力がかかりたるみのない状態で保持される。また、前記線材４の上下寸法及び溝５１の位置は、台座１の底面が支柱５の下端よりも上方に位置するように設定してあり、台座１が宙に浮いた状態で保持される。
【００１８】
環状シート６は、半透光性を有する和紙を環状に構成してあるが、和紙以外にも洋紙、合成樹脂フィルム、布等を用いることも可能であり、所望の透光性を得るために透光性素材、あるいは非透光性素材を用いることもできる。環状シート６の周縁長は環状シート内側に配設する台座１の大きさに応じて適宜選択可能である。
【実施例２】
【００１９】
図５及び６は、支持部材として板材７を用いた場合の実施例である。
台座１の側面には板材７を挿入するための挿入孔１１が４つ台座１の中心方向に向かって設けられ、支持部材としての板材７は第１の実施例における線材４と同様の形状に構成し、屈曲部７２及び円弧部７３がバネとして機能するようにしてある。
支柱５の一側面には高さ１／２付近に抉り部５２が設けられている。この抉り部５２は板体７の円弧部７３を受けるために弧状に形成されている。板体７の幅が支柱５の幅に収まる場合には、抉り部５２の代わりに第１の実施例同様に板材７を嵌め込むことができる溝５１を形成したものとしてもよい。
【実施例３】
【００２０】
図７は、台座１の側面の挿入孔１１を、用いる支持部材の数よりも多くした場合の実施例である。台座１には使用する支持部材の本数よりも多くの挿入孔１１が設けられており、任意の挿入孔１１に線材４を挿入して任意の形状の照明器具を得ることができる。
【実施例４】
【００２１】
図８は、支柱５を３本とした場合の実施例である。台座１には挿入孔１１を３個設けて３本の線材４を取り付け支柱５を３本用いた点以外の構成は、第１の実施例と同じである。この実施例によれば、略三角柱状の照明器具を得ることができる。
【実施例５】
【００２２】
図９は、支柱５を６本とした場合の実施例である。台座１には挿入孔１１を６個設けて６本の線材４を取り付け、支柱５を６本用いた点以外の構成は、第１の実施例と同じである。この実施例によれば、略六角柱状の照明器具を得ることができる。
【実施例６】
【００２３】
図１０は、支持部材としての線材４の水平部４１の長さを２パターンにした場合の実施例である。線材４は水平部４１の長さが長短２パターンのものを用意した以外の構成は実施例１と同じである。
【産業上の利用可能性】
【００２４】
この発明は、ランプシェードの着脱及び折り畳みを容易行うことができる照明器具に関するものであり、産業上の利用可能性を有するものである。
【図面の簡単な説明】
【００２５】
【図１】この発明の第１の実施例を示す斜視図
【図２】同じく平面図
【図３】同じくＡ−Ａ断面図
【図４】この発明で用いられる線材を示す図
【図５】この発明の第２の実施例を示す平面図
【図６】同じく支柱への板材の取付状態を示す図
【図７】この発明の第３の実施例を示す平面図
【図８】この発明の第４の実施例を示す平面図
【図９】この発明の第５の実施例を示す平面図
【図１０】この発明の第６の実施例を示す平面図
【符号の説明】
【００２６】
１    台座
２    電球
３    電球ソケット
４    線材
４１  水平部
４２  屈曲部
４３  円弧部
５    支柱
５１  溝
６    環状シート
７    板材
７１  水平部
７２  屈曲部
７３  円弧部
【図１】
2008258000.tif 000003
【図２】
2008258000.tif 000004
【図３】
2008258000.tif 000005
【図４】
2008258000.tif 000006
【図５】
2008258000.tif 000007
【図６】
2008258000.tif 000008
【図７】
2008258000.tif 000009
【図８】
2008258000.tif 000010
【図９】
2008258000.tif 000011
【図１０】
2008258000.tif 000012